(57)【要約】【課題】  通話品質を低下させずに複数の通話を行うことができる音声通話装置を提供する。【解決手段】  音声通話装置１は、通話者Ａの口唇の形状および動きに基づいて作成した送話音声を通話先装置１００Ａに送信し、通話先装置１００Ａからの受話音声を通話者Ａのみに限定して出力するとともに、通話者Ｂの口唇の形状および動きに基づいて作成した送話音声を通話先装置１００Ｂに送信し、通話先装置１００Ｂからの受話音声を通話者Ｂのみに限定して出力する。【選択図】  図１
2019193038.tif 000002
【特許請求の範囲】
【請求項１】
通話者を撮影する撮影部と、前記撮影部によって撮影された前記通話者の口唇の形状と動きに基づいて前記通話者の送話音声データを作成するデータ処理部と、受話音声データを前記通話者に限定して出力する音声出力部とを有した複数の通話ユニットと、
前記データ処理部によって作成された前記通話者の送話音声データを通話先装置に送信し、前記通話先装置から受信した受話音声データを前記音声出力部に出力する無線部とを備えたこと
を特徴とする音声通話装置。
【請求項２】
前記複数の通話ユニットのうちの一つの通話ユニットが有する前記データ処理部の出力と、前記複数の通話ユニットのうちの他の通話ユニットが有する前記音声出力部の入力との間の経路に設けられて、当該経路の接続と遮断を切り換えるスイッチと、
前記スイッチに対する第１の操作を受け付け、前記データ処理部に対する第２の操作を受け付ける操作部とを備え、
前記スイッチは、前記操作部によって受け付けられた前記第１の操作に応じて前記経路の接続と遮断を切り換え、
前記データ処理部は、前記操作部によって受け付けられた前記第２の操作に応じて送話音声データの作成の開始と停止を切り換えること
を特徴とする請求項１記載の音声通話装置。
【請求項３】
請求項２記載の音声通話装置を複数備えたこと
を特徴とする音声通話システム。
【発明の詳細な説明】
【技術分野】
【０００１】
この発明は、車室内のような閉鎖された空間において複数の通話またはグループ通話を行う機能を有した音声通話装置に関する。
【背景技術】
【０００２】
公衆の場または車室内のような閉鎖された空間において通話を行う場合、周囲の雑音によって通話品質が低下することがあり、さらに通話音声自体が周囲への騒音になることもある。この不具合を解決するため、例えば、特許文献１に記載された装置では、マイクを省略してカメラで通話者の読唇情報を取得し、読唇情報から発話の内容を認識している。周囲の雑音がマイクによって集音されなくなり、周囲の雑音による影響を除去することができる。
【先行技術文献】
【特許文献】
【０００３】
【特許文献１】特開平１０−２４０２８３号公報
【発明の概要】
【発明が解決しようとする課題】
【０００４】
特許文献１に記載された従来の装置は、通話者が１対１の単一の通話を想定しており、受話音声の周囲への影響が考慮されていない。このため、閉鎖された空間で、従来の装置を用いて複数の通話が行われると、受話音声が騒音となって複数の通話のそれぞれの通話品質が低下するという課題があった。
【０００５】
この発明は上記課題を解決するものであり、通話品質を低下させずに複数の通話を行うことができる音声通話装置を得ることを目的とする。
【課題を解決するための手段】
【０００６】
この発明に係る音声通話装置は、複数の通話ユニットおよび無線部を備えており、複数の通話ユニットは、撮影部、データ処理部および音声出力部を備える。撮影部は、通話者を撮影する。データ処理部は、撮影部によって撮影された通話者の口唇の形状と動きに基づいて通話者の送話音声データを作成する。音声出力部は、受話音声データを通話者に限定して出力する。無線部は、データ処理部によって作成された通話者の送話音声データを通話先装置に送信し、通話先装置から受信した受話音声データを音声出力部に出力する。
【発明の効果】
【０００７】
この発明によれば、音声通話装置が、通話者の口唇の形状および動きに基づいて作成した送話音声データを通話先装置に送信し、通話先装置から受信した受話音声データを通話者に限定して出力する。これにより、音声通話装置は、閉鎖された空間であっても、送話音声と受話音声とが周囲への騒音となることが防止されるので、通話品質を低下させずに複数の通話を行うことができる。
【図面の簡単な説明】
【０００８】
【図１】この発明の実施の形態１に係る音声通話装置の構成例を示すブロック図である。
【図２】この発明の実施の形態２に係る音声通話装置の構成例を示すブロック図である。
【発明を実施するための形態】
【０００９】
実施の形態１．
図１は、この発明の実施の形態１に係る音声通話装置１の構成例を示すブロック図である。音声通話装置１は、車室内のような閉鎖された空間に設けられて、携帯機２ａおよび携帯機２ｂを用いて通話者が１対１である２つの通話を行うことが可能である。例えば、通話者Ａが、音声通話装置１を用いて通話者Ａ’と通話を行い、通話者Ｂが、音声通話装置１を用いて通話者Ｂ’と通話を行うものとする。
【００１０】
音声通話装置１は、図１に示すように、通話ユニット３ａ、通話ユニット３ｂ、無線部４ａおよび無線部４ｂを備える。携帯機２ａと無線部４ａとは、近距離無線通信によってペアリングされ、携帯機２ｂと無線部４ｂとは、近距離無線通信によってペアリングされる。近距離無線通信は、例えば、Ｂｌｕｅｔｏｏｔｈ（登録商標）であってもよい。
【００１１】
通話ユニット３ａは、カメラ５ａ、ＡＤ変換部６ａ、データ処理部７ａ、ＤＡ変換部８ａおよびスピーカ９ａを有し、通話ユニット３ｂは、カメラ５ｂ、ＡＤ変換部６ｂ、データ処理部７ｂ、ＤＡ変換部８ｂおよびスピーカ９ｂを有する。データ処理部７ａは、読唇処理部７ａ−１および音声合成処理部７ａ−２を備えており、データ処理部７ｂは、読唇処理部７ｂ−１および音声合成処理部７ｂ−２を備える。
【００１２】
カメラ５ａは、通話者Ａを撮影する撮影部であり、カメラ５ｂは、通話者Ｂを撮影する撮影部である。ＡＤ変換部６ａは、カメラ５ａによって撮影された通話者Ａの口唇のアナログ映像データを、デジタルデータである動画データＡに変換する。ＡＤ変換部６ｂは、カメラ５ｂによって撮影された通話者Ｂの口唇のアナログ映像データを、デジタルデータである動画データＢに変換する。
【００１３】
データ処理部７ａは、通話者Ａの口唇の形状および動きに基づいて通話者Ａの送話音声データＡを作成する。読唇処理部７ａ−１は、動画データＡから認識した通話者Ａの口唇の形状および動きに基づいて、通話者Ａの発話内容に対応した時系列な文字列データＡを作成する。音声合成処理部７ａ−２は、文字列データＡに基づいて、通話者Ａの発話内容に対応した送話音声データＡを作成する。
【００１４】
データ処理部７ｂは、通話者Ｂの口唇の形状および動きに基づいて通話者Ｂの送話音声データＢを作成する。読唇処理部７ｂ−１は、動画データＢから認識した通話者Ｂの口唇の形状および動きに基づいて、通話者Ｂの発話内容に対応した時系列な文字列データＢを作成する。音声合成処理部７ｂ−２は、文字列データＢに基づいて、通話者Ｂの発話内容に対応した送話音声データＢを作成する。
【００１５】
ＤＡ変換部８ａは、携帯機２ａが接続している通信網を介して無線部４ａによって受信された通話者Ａ’の受話音声データＡをアナログ音声に変換する。ＤＡ変換部８ｂは、携帯機２ｂが接続している通信網を介して、無線部４ｂによって受信された通話者Ｂ’の受話音声データＢをアナログ音声に変換する。なお、通話先装置１００Ａおよび通話先装置１００Ｂは、音声通話装置１と通話が可能な装置であり、例えば、携帯電話端末であってもよい。
【００１６】
スピーカ９ａは、ＤＡ変換部８ａによってアナログ音声に変換された受話音声データＡを通話者Ａに限定して出力する音声出力部である。スピーカ９ｂは、ＤＡ変換部８ｂによってアナログ音声に変換された受話音声データＢを通話者Ｂに限定して出力する音声出力部である。スピーカ９ａおよびスピーカ９ｂは、音声出力に指向性を持たせたスピーカであってもよい。また、スピーカ９ａおよびスピーカ９ｂは、通話者のみが音声を聞くことができるように、通話者が着座する座席のヘッドレストに設けられたスピーカであってもよい。
【００１７】
次に動作について説明する。
音声通話装置１を用いた通話を行う際に、携帯機２ａと無線部４ａは、近距離無線通信によってペアリングされており、携帯機２ｂと無線部４ｂとが、近距離無線通信によってペアリングされているものとする。さらに、音声通話装置１は、車室内に設けられ、通話者Ａおよび通話者Ｂは、車両の同乗者であるものとする。
【００１８】
カメラ５ａが、発話している通話者Ａを撮影し、カメラ５ｂが、発話している通話者Ｂを撮影する。カメラ５ａによって撮影された通話者Ａの映像データは、ＡＤ変換部６ａによってデジタルデータの動画データＡに変換されてからデータ処理部７ａに出力される。同様に、カメラ５ｂによって撮影された通話者Ｂの映像データは、ＡＤ変換部６ｂによってデジタルデータの動画データＢに変換されてからデータ処理部７ｂに出力される。
【００１９】
データ処理部７ａにおいて、読唇処理部７ａ−１が、動画データＡから通話者Ａの発話に応じた口唇の形状および動きを認識し、通話者Ａの口唇の形状および動きに基づいて、通話者Ａの発話内容に対応した時系列な文字列データＡを作成する。音声合成処理部７ａ−２は、文字列データＡを構成する文字に合成音声信号を当てはめることで、通話者Ａの発話内容に対応した送話音声データＡを作成する。送話音声データＡは、音声合成処理部７ａ−２から無線部４ａに出力される。
【００２０】
データ処理部７ｂにおいて、読唇処理部７ｂ−１が、動画データＢから通話者Ｂの発話に応じた口唇の形状および動きを認識し、通話者Ｂの口唇の形状および動きに基づいて、通話者Ｂの発話内容に対応した時系列な文字列データＢを作成する。音声合成処理部７ｂ−２は、文字列データＢを構成する文字に合成音声信号を当てはめることで、通話者Ｂの発話内容に対応した送話音声データＢを作成する。送話音声データＢは、音声合成処理部７ｂ−２から無線部４ｂに出力される。
【００２１】
無線部４ａは、携帯機２ａが接続している通信網を介して、送話音声データＡを通話先装置１００Ａに送信する。これにより、通話先装置１００Ａは、通話者Ａの送話音声を、通話者Ａ’に出力する。同様に、無線部４ｂは、携帯機２ｂが接続している通信網を介して、送話音声データＢを通話先装置１００Ｂに送信し、通話先装置１００Ｂは、通話者Ｂの送話音声を、通話者Ｂ’に出力する。
【００２２】
通話者Ａ’の発話音声は、通話先装置１００Ａによって音声通話装置１へ送信され、通話者Ｂ’の発話音声は、通話先装置１００Ｂによって音声通話装置１へ送信される。
無線部４ａは、携帯機２ａが接続している通信網を介して通話者Ａ’の発話音声データを受信し、受話音声データＡとしてＤＡ変換部８ａに出力する。同様に、無線部４ｂは、携帯機２ｂが接続している通信網を介して通話者Ｂ’の発話音声データを受信して、受話音声データＢとしてＤＡ変換部８ｂに出力する。
【００２３】
ＤＡ変換部８ａは、無線部４ａから入力した受話音声データＡをアナログ音声に変換する。同様に、ＤＡ変換部８ｂは、無線部４ｂから入力した受話音声データＢをアナログ音声に変換する。
【００２４】
スピーカ９ａは、ＤＡ変換部８ａから入力した受話音声データＡを通話者Ａに限定して出力する。また、スピーカ９ｂは、ＤＡ変換部８ｂから入力した受話音声データＢを通話者Ｂに限定して出力する。これにより、通話者Ａ’からの受話音声が通話者Ｂおよび非通話の同乗者への騒音になることが防止される。同様に、通話者Ｂ’からの受話音声が通話者Ａおよび非通話の同乗者への騒音になることが防止される。すなわち、通話者Ａが行う通話と通話者Ｂが行う通話との間で送話音声および受話音声のいずれも混じり合うことがない。このため、これらの通話を互いに干渉せずに同時に個別に行うことが可能である。
【００２５】
また、音声通話装置１では、発話の集音にマイクを用いないため、マイクによって集音された車両周辺の騒音による影響がない。これにより、音声通話装置１は、通話に関係のない音楽などを再生していても、通話品質を低下させることなく、通話を継続することができる。
【００２６】
図１では、携帯機２ａおよび携帯機２ｂを用いて、通話者が１対１である２つの通話を行う音声通話装置１を示したが、実施の形態１に係る音声通話装置は、この構成に限定されるものではない。例えば、通話ユニット３ａ，３ｂと同じ構成の３つ以上の通話ユニットを有し、これらのそれぞれに対応した無線部を有した音声通話装置であれば、閉鎖された空間であっても、通信品質を低下させずに３つ以上の通話を同時に行うことができる。
【００２７】
以上のように、実施の形態１に係る音声通話装置１は、通話者Ａの口唇の形状および動きに基づいて作成した送話音声を通話先装置１００Ａに送信し、通話先装置１００Ａからの受話音声を通話者Ａのみに限定して出力するとともに、通話者Ｂの口唇の形状および動きに基づいて作成した送話音声を通話先装置１００Ｂに送信し、通話先装置１００Ｂからの受話音声を通話者Ｂのみに限定して出力する。このように、音声通話装置１は、閉鎖された空間であっても、送話音声と受話音声が周囲への騒音となることが防止されるので、通話品質を低下させずに複数の通話を行うことができる。
【００２８】
実施の形態２．
図２は、この発明の実施の形態２に係る音声通話装置１Ａの構成例を示すブロック図である。図２において、図１と同一の構成要素には、同一の符号を付して説明を省略する。音声通話装置１Ａは、車室内のような閉鎖された空間に設けられて、携帯機２ｃを用いて通話者が１対２の通話を行うことが可能である。例えば、音声通話装置１Ａでは、通話者Ａが通話者Ｃと通話を行っているときに、通話者Ｂが通話者Ａと通話者Ｃとの通話に参加することができる。音声通話装置１Ａは、図２に示すように、通話ユニット３ａ’、通話ユニット３ｂ’、無線部４ｃおよびミキサ１２を備える。携帯機２ｃと無線部４ｃとは、近距離無線通信によってペアリングされる。近距離無線通信は、例えば、Ｂｌｕｅｔｏｏｔｈ（登録商標）であってもよい。
【００２９】
通話ユニット３ａ’は、カメラ５ａ、ＡＤ変換部６ａ、データ処理部７ａ、ＤＡ変換部８ａ、スピーカ９ａ、操作部１０ａ、スイッチ１１ａおよびミキサ１２ａを有する。通話ユニット３ｂ’は、カメラ５ｂ、ＡＤ変換部６ｂ、データ処理部７ｂ、ＤＡ変換部８ｂ、スピーカ９ｂ、操作部１０ｂ、スイッチ１１ｂおよびミキサ１２ｂを有する。データ処理部７ａは、読唇処理部７ａ−１および音声合成処理部７ａ−２を備えており、データ処理部７ｂは、読唇処理部７ｂ−１および音声合成処理部７ｂ−２を備える。
【００３０】
データ処理部７ａは、通話者Ａの口唇の形状および動きに基づいて通話者Ａの送話音声データＡを作成する。また、データ処理部７ａは、操作部１０ａによって受け付けられた操作に応じて、送話音声データＡの作成の開始と停止とを切り換える。例えば、読唇処理部７ａ−１が、操作部１０ａが受け付けたオフ操作に応じて、時系列な文字列データＡの作成を停止し、操作部１０ａが受け付けたオン操作に応じて、時系列な文字列データＡの作成を開始する。
【００３１】
データ処理部７ｂは、データ処理部７ａと同様に、通話者Ｂの口唇の形状および動きに基づいて通話者Ｂの送話音声データＢを作成する。また、データ処理部７ｂは、操作部１０ｂによって受け付けられた操作に応じて、送話音声データＢの作成の開始と停止を切り換える。例えば、読唇処理部７ｂ−１が、操作部１０ｂが受け付けたオフ操作に応じて、時系列な文字列データＢの作成を停止し、操作部１０ｂが受け付けたオン操作に応じて、時系列な文字列データＢの作成を開始する。
【００３２】
操作部１０ａは、スイッチ１１ａについてのオンオフ操作（第１の操作）を受け付け、データ処理部７ａについてのオンオフ操作（第２の操作）を受け付ける。同様に、操作部１０ｂは、スイッチ１１ｂについてのオンオフ操作を受け付け、データ処理部７ｂについてのオンオフ操作を受け付ける。例えば、操作部１０ａおよび操作部１０ｂは、画面上にタッチパネルが設けられたタッチパネルモニタを使用したユーザ操作を受け付ける。
【００３３】
スイッチ１１ａは、データ処理部７ｂの出力とスピーカ９ａの入力との間の経路に設けられて、この経路の接続と遮断とを切り換える。スイッチ１１ａは、操作部１０ａによって受け付けられたオフ操作に応じて上記経路を遮断し、操作部１０ａによって受け付けられたオン操作に応じて上記経路を接続する。
【００３４】
スイッチ１１ｂは、データ処理部７ａの出力とスピーカ９ｂの入力との間の経路に設けられて、この経路の接続と遮断とを切り換える。スイッチ１１ｂは、操作部１０ｂによって受け付けられたオフ操作に応じて上記経路を遮断し、操作部１０ｂによって受け付けられたオン操作に応じて上記経路を接続する。
【００３５】
ミキサ１２ａは、無線部４ｃによって受信された受話音声データ（通話者Ｃの発話）とデータ処理部７ｂから出力された送話音声データ（通話者Ｂの発話）とを合成する。
ミキサ１２ｂは、無線部４ｃによって受信された受話音声データ（通話者Ｃの発話）とデータ処理部７ａから出力された送話音声データ（通話者Ａの発話）とを合成する。
ミキサ１２は、データ処理部７ａから出力された送話音声データ（通話者Ａの発話）とデータ処理部７ｂから出力された送話音声データ（通話者Ｂの発話）とを合成する。
【００３６】
次に動作について説明する。
音声通話装置１Ａを用いた通話を行う際に、携帯機２ｃと無線部４ｃは、近距離無線通信によってペアリングされているものとする。音声通話装置１Ａは、車室内に設けられ、通話者Ａおよび通話者Ｂは、車両の同乗者であるものとする。
カメラ５ａが、発話している通話者Ａを撮影する。カメラ５ａによって撮影された通話者Ａの映像データは、ＡＤ変換部６ａによってデジタルデータの動画データＡに変換されてからデータ処理部７ａに出力される。
【００３７】
データ処理部７ａにおいて、読唇処理部７ａ−１が、動画データＡから通話者Ａの発話に応じた口唇の形状および動きを認識し、通話者Ａの口唇の形状および動きに基づいて、通話者Ａの発話内容に対応した時系列な文字列データＡを作成する。音声合成処理部７ａ−２は、文字列データＡを構成する文字に合成音声信号を当てはめることで、通話者Ａの発話内容に対応した送話音声データＡを作成する。
【００３８】
音声合成処理部７ａ−２によって作成された送話音声データＡは、無線部４ｃに出力される。無線部４ｃは、携帯機２ｃが接続している通信網を介して、送話音声データＡを通話先装置１００Ｃに送信する。これにより、通話先装置１００Ｃは、通話者Ａの送話音声を、通話者Ｃに出力する。
【００３９】
一方、通話者Ｃの発話音声は、通話先装置１００Ｃによって音声通話装置１Ａへ送信される。無線部４ｃは、携帯機２ｃが接続している通信網を介して通話者Ｃの発話音声データを受信し、受話音声データとしてＤＡ変換部８ａに出力する。ＤＡ変換部８ａは、無線部４ａから入力した受話音声データをアナログ音声に変換する。スピーカ９ａは、ＤＡ変換部８ａから入力した受話音声データを通話者Ａに限定して出力する。
【００４０】
通話者Ａと通話者Ｃとの通話に対して通話者Ｂが参加する場合、同乗者である通話者Ａと通話者Ｂは、互いの発話音声を直接聞くか、スピーカを介して聞くかを事前に決定しておく。例えば、通話者Ａの座席と通話者Ｂの座席が近ければ、互いの発話音声を直接聞いてもよい。また、通話者Ａの座席と通話者Ｂの座席が離れているか、通話者Ａまたは通話者Ｂの発話音声が他の同乗者への騒音になると考えられる場合は、スピーカを介して発話音声を聞くことが選択される。
【００４１】
（１）スピーカを介して発話音声を聞く場合
通話者Ａは、操作部１０ａを用いてスイッチ１１ａのオン操作を実施する。スイッチ１１ａは、操作部１０ａによって受け付けられたオン操作に応じてデータ処理部７ｂの出力とスピーカ９ａの入力との間の経路を接続する。さらに、通話者Ｂは、操作部１０ｂを用いてスイッチ１１ｂのオン操作を行う。スイッチ１１ｂは、操作部１０ｂによって受け付けられたオン操作に応じてデータ処理部７ａの出力とスピーカ９ｂの入力との間の経路を接続する。
【００４２】
通話者Ａが通話者Ｂに対して発話すると、カメラ５ａは、発話している通話者Ａを撮影する。カメラ５ａによって撮影された通話者Ａの映像データは、ＡＤ変換部６ａによってデジタルデータの動画データＡに変換されてからデータ処理部７ａに出力される。データ処理部７ａは、通話者Ａから通話者Ｂへの発話音声データを作成する。
【００４３】
スイッチ１１ｂがオン状態であるので、データ処理部７ａによって作成された通話者Ａから通話者Ｂへの発話音声データは、ミキサ１２ｂおよびミキサ１２に出力される。
ミキサ１２ｂは、無線部４ｃによって通話者Ｃから通話者Ｂへの発話音声データが受信された場合、この発話音声データと、通話者Ａから通話者Ｂへの発話音声データとを合成してＤＡ変換部８ｂに出力する。
【００４４】
ＤＡ変換部８ｂは、入力した音声データをアナログ音声に変換してスピーカ９ｂに出力する。スピーカ９ｂは、ＤＡ変換部８ｂを介して入力した音声データを通話者Ｂに限定して出力する。これにより、通話者Ｂは、スピーカ９ｂを介して、通話者Ａから通話者Ｂへの発話音声を聞くことができる。また、通話者Ｃから通話者Ｂへの発話音声がある場合、通話者Ｂは、スピーカ９ｂを介して、通話者Ａから通話者Ｂへの発話音声および通話者Ｃから通話者Ｂへの発話音声を聞くことができる。
【００４５】
また、ミキサ１２は、データ処理部７ａによって作成された通話者Ａから通話者Ｂへの発話音声データと、データ処理部７ｂによって作成された通話者Ｂから通話者Ａあるいは通話者Ｃへの発話音声データとを合成して無線部４ｃに出力する。無線部４ｃは、携帯機２ｃが接続している通信網を介して音声データを通話先装置１００Ｃに送信する。通話先装置１００Ｃは、受信した音声データを通話者Ｃに出力する。これにより、通話者Ｃは、通話者Ａから通話者Ｂへの発話音声を聞くことができる。通話者Ｂから通話者Ａあるいは通話者Ｃへの発話音声がある場合、通話者Ｃは、通話者Ａから通話者Ｂへの発話音声と、通話者Ｂから通話者Ａあるいは通話者Ｃへの発話音声を聞くことができる。
【００４６】
通話者Ｂが通話者Ａに対して発話した場合も同様の手順で処理が行われ、通話者Ａは、スピーカ９ａを介して、通話者Ｂから通話者Ａへの発話音声を聞くことができる。また、通話者Ｃから通話者Ａへの発話音声がある場合、通話者Ａは、スピーカ９ａを介して、通話者Ｂから通話者Ａへの発話音声および通話者Ｃから通話者Ａへの発話音声を聞くことができる。
【００４７】
（２）発話音声を直接聞く場合
通話者Ａは、操作部１０ａを用いてスイッチ１１ａのオフ操作を実施する。スイッチ１１ａは、操作部１０ａによって受け付けられたオフ操作に応じてデータ処理部７ｂの出力とスピーカ９ａの入力との間の経路を遮断する。さらに、通話者Ｂが、操作部１０ｂを用いてスイッチ１１ｂのオフ操作を行う。スイッチ１１ｂは、操作部１０ｂによって受け付けられたオフ操作に応じてデータ処理部７ａの出力とスピーカ９ｂの入力との間の経路を遮断する。
【００４８】
通話者Ａは、通話者Ｂに対して発話するとき、操作部１０ａを用いてデータ処理部７ａのオフ操作を行う。データ処理部７ａは、操作部１０ａによって受け付けられたオフ操作に応じてその機能を停止する。これにより、通話者Ｂは、通話者Ａからの発話音声を直接聞くことができる。このとき、データ処理部７ａによって通話者Ａから通話者Ｂへの発話音声データは作成されないので、通話者Ｃは、通話者Ａから通話者Ｂへの発話音声を聞くことはできない。
【００４９】
なお、通話者Ａが、通話者Ｂに対して発話するときに操作部１０ａを用いてデータ処理部７ａのオン操作を行うと、データ処理部７ａは、操作部１０ａによって受け付けられたオン操作に応じてその機能を復帰する。これにより、データ処理部７ａによって作成された通話者Ａから通話者Ｂへの発話音声データは、無線部４ｃによって通話先装置１００Ｃへ送信される。通話先装置１００Ｃが受信した音声データを通話者Ｃに出力することで、通話者Ｃは、通話者Ａから通話者Ｂへの発話音声を聞くことができる。
【００５０】
通話者Ｂが通話者Ａに対して発話した場合も同様の手順で処理が行われ、通話者Ａは、通話者Ｂからの発話音声を直接聞くことができる。また、通話者Ｃから通話者Ａへの発話音声がある場合、通話者Ａは、スピーカ９ａを介して通話者Ｃからの発話音声を聞くことができる。
【００５１】
図２では、携帯機２ｃを用いて、通話者が１対２である通話を行う音声通話装置１Ａを示したが、実施の形態２に係る音声通話装置は、この構成に限定されるものではない。
例えば、通話ユニット３ａ’，３ｂ’と同じ構成の３つ以上の通話ユニットを有する音声通話装置であれば、閉鎖された空間であっても、通信品質を低下させずに通話者が１対３以上のグループ通話を行うことができる。
【００５２】
また、通話ユニット３ａ’と通話ユニット３ｂ’とで共通の無線部４ｃを使用する音声通話装置１Ａを示したが、通話ユニット３ａ’と通話ユニット３ｂ’とが別個に無線部を備えてもよい。
【００５３】
実施の形態２に係る音声通話システムは、音声通話装置１Ａを複数備えたシステムである。前述したように、複数の音声通話装置１Ａのそれぞれは、通話者が１対複数であるグループ通話を行うことができるので、実施の形態２に係る音声通話システムでは、閉鎖された空間において、複数のグループ通話を行うことができる。
例えば、グループ（Ａ）のメンバーとグループ（Ｂ）のメンバーがマイクロバスに同乗している場合、実施の形態２に係る音声通話システムを用いることで、グループ（Ａ）のメンバーによるグループ通話とグループ（Ｂ）のメンバーによるグループ通話とを個別に行うことができる。
【００５４】
以上のように、実施の形態２に係る音声通話装置１Ａは、操作部１０ａ、操作部１０ｂ、スイッチ１１ａおよびスイッチ１１ｂを備える。操作部１０ａは、スイッチ１１ａに対するオンオフ操作を受け付け、データ処理部７ａに対するオンオフ操作を受け付ける。操作部１０ｂは、スイッチ１１ｂに対するオンオフ操作を受け付け、データ処理部７ｂに対するオンオフ操作を受け付ける。スイッチ１１ａは、データ処理部７ｂの出力とスピーカ９ａの入力との間の経路に設けられて当該経路の接続と遮断を切り換える。スイッチ１１ｂは、データ処理部７ａの出力とスピーカ９ｂの入力との間の経路に設けられて当該経路の接続と遮断を切り換える。スイッチ１１ａは、操作部１０ａによって受け付けられたオンオフ操作に応じて上記経路の接続と遮断を切り換え、スイッチ１１ｂは、操作部１０ｂによって受け付けられたオンオフ操作に応じて上記経路の接続と遮断を切り換える。データ処理部７ａは、操作部１０ａによって受け付けられたオンオフ操作に応じて送話音声データの作成の開始と停止を切り換え、データ処理部７ｂは、操作部１０ｂによって受け付けられたオンオフ操作に応じて送話音声データの作成の開始と停止を切り換える。
これらの構成を有することで、音声通話装置１Ａは、閉鎖された空間であっても、送話音声と受話音声が周囲への騒音となることが防止されるので、通話品質を低下させずに、通話者が１対複数のグループ通話を行うことができる。
【００５５】
実施の形態２に係る音声通話システムは、複数の音声通話装置１Ａを備えるので、閉鎖された空間であっても、送話音声と受話音声が周囲への騒音となることが防止され、通話品質を低下させずに、通話者が１対複数である複数のグループ通話を行うことができる。
【００５６】
なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【符号の説明】
【００５７】
１，１Ａ  音声通話装置、２ａ，２ｂ，２ｃ  携帯機、３ａ，３ａ’，３ｂ，３ｂ’  通話ユニット、４ａ，４ｂ，４ｃ  無線部、５ａ，５ｂ  カメラ、６ａ，６ｂ  ＡＤ変換部、７ａ，７ｂ  データ処理部、７ａ−１，７ｂ−１  読唇処理部、７ａ−２，７ｂ−２  音声合成処理部、８ａ，８ｂ  ＤＡ変換部、９ａ，９ｂ  スピーカ、１０ａ，１０ｂ  操作部、１１ａ，１１ｂ  スイッチ、１２，１２ａ，１２ｂ  ミキサ、１００Ａ，１００Ｂ，１００Ｃ  通話先装置。
【図１】
2019193038.tif 000003
【図２】
2019193038.tif 000004